(57)【要約】【課題】ケーブルが布設されている地中埋設管の内部に、追加の新設ケーブルを、既設ケーブルに損傷を与えることなく、低い布設張力で布設でき、且つ従来よりも太径のケーブルを布設可能にするケーブル布設方法を提供する。【解決手段】ケーブルが収容されている地中埋設管の内部に、新設ケーブルを収容する空間を確保すると共に既設ケーブルとの隔離を行う扁平形状の中空シートを布設した後に、中空シート内の気圧を高めて膨らました状態で新設ケーブルを布設する。【選択図】        図３
2004173439.tif 000002
【特許請求の範囲】
【請求項１】
通信などのライフラインケーブルが既に布設されている地中埋設管の内部に新設ケーブルを布設するケーブル布設方法において、前記地中埋設管の内部に中空シートを布設し、該中空シートを空気圧で膨らませてケーブル収容空間を作り、該ケーブル収容空間の膨らみを維持した状態で前記中空シートの内部に新設ケーブルを布設することを特徴とするケーブル布設方法。
【請求項２】
前記中空シートを前記地中埋設管の入口端から管端部にまで布設し、前記中空シートの一方の入口端部に空気圧調整機能付きのケーブル布設治具を取り付け、他方の出口端部に空気流出防止弁を有する栓を取り付け、前記中空シートの内部に、前記ケーブル布設治具で空気圧を調整しながらコンプレッサーから空気を送り、事前に前記中空シートの内部に通した通線体に結んだ前記新設ケーブルを、前記中空シートを膨らませた状態で、前記通線体の他方の端部を前記出口端部の空気流出防止弁を経て牽引することにより、前記空気圧調整機能付きケーブル布設治具に通して前記中空シート内に布設することを特徴とする請求項１に記載のケーブル布設方法。
【請求項３】
請求項１又は２に記載の方法に使用する中空シートであって、該中空シートは、通常は扁平形状を成し、空気圧で膨らむ柔軟で、摩擦抵抗の少ないシートから成ることを特徴とする中空シート。
【請求項４】
請求項２に記載の方法に使用する空気圧調整機能付きケーブル布設治具であって、該ケーブル布設治具は、新設ケーブルを通すケーブル布設部と、中空シートに空気を注入する空気注入部と、中空シート内の空気圧を調整する空気圧調整栓とから成り、前記ケーブル布設部及び空気注入部は、前記中空シートの内部に注入した空気が外部ヘ流出するのを防ぐ空気流出防止弁を備えていることを特徴とするケーブル布設治具。
【発明の詳細な説明】
【０００１】
【発明の属する技術分野】
本発明は、地中埋設管の内部に、通信、電力、放送等に使用されるケーブルを布設する方法に係わり、既にケーブルが布設されている地中埋設管の内部に中空シートを用いて新設ケーブルを布設する方法及びそれに使用する中空シート並びにケーブル布設治具に関するものである。
【０００２】
【従来の技術】
従来、ケーブルが布設された地中埋設管に新設ケーブルを布設する方法には以下の２つの方式のものがあった。
（１）  ケーブルが布設された地中埋設管の内部に、新設ケーブルを直接布設する方式（例えば、特許文献１及び特許文献２を参照）。
（２）  ケーブルが布設された地中埋設管の内部に、剛性のあるビニール管等のインナーパイプを布設し、その内部に新設ケーブルを布設する方式（例えば、特許文献１及び特許文献３を参照）。
【０００３】
【特許文献１】
特開昭５６−７０１８４号公報（第１頁左下欄、第４行乃至同頁右欄第８行）
【特許文献２】
特開２０００−１２５４２９号公報（〔０００２〕、図１）
【特許文献３】
特開平１１−１１３１４７号公報（〔０００１〕、〔０００２〕）
【０００４】
しかしながら、上記（１）の方式において、地中埋設管の内部に、例えば数１０ｍ又は長い場合には略１００ｍにも亘って新設ケーブルを牽引して布設する際には、図９に示すように、地中埋設管１０１の内部にある既設ケーブル１０２と新設ケーブル１０３が直接接触することによる摩擦によってケーブルの損傷が生じる不具合があった。また、新設ケーブル１０３は、地中埋設管１０１の内面と既設ケーブル１０２の外周面との２点の箇所１０４にて接触するため、布設張力が大きくなる不具合があった。
【０００５】
さらに、上記（２）の方式においては、図１０に示すように、剛性のあるインナーパイプ１０５の布設時に、インナーパイプ１０５と既設ケーブル１０２がこすれて、既設ケーブル１０２が損傷することがあり、その損傷を防ぐために、インナーパイプ１０５と地中埋設管１０１の内面及び既設ケーブル１０２との間に一定の隙間が必要であり、そのためにインナーパイプ１０５の径が制限され、またそのためにインナーパイプ１０５の内部に収容できる新設ケーブル１０３の太さが制限されると云う不具合があった。
【０００６】
【発明が解決しようとする課題】
本発明は上述したような問題に鑑みてなされたものであり、その目的は、既設ケーブルと新設ケーブルとの直接接触をなくすと共に、地中埋設管内での新設ケーブルの接触箇所を減らして布設張力を低減させ、且つ地中埋設管内に大きなケーブル布設収容空間を確保して、従来方式によるよりも径の太い新設ケーブルを既設ケーブルに併設して地中埋設管内に布設するケーブル布設方法及びそれに使用する中空シート並びにケーブル布設治具を提供することにある。
【０００７】
【課題を解決するための手段】
上記目的を達するために、請求項１の発明は、通信などのライフラインケーブルが既に布設されている地中埋設管の内部に新設ケーブルを布設するケーブル布設方法において、前記地中埋設管の内部に中空シートを布設し、該中空シートを空気圧で膨らませてケーブル収容空間を作り、該ケーブル収容空間の膨らみを維持した状態で前記中空シートの内部に新設ケーブルを布設することを特徴とする。
【０００８】
また、請求項２の発明は、請求項１において、前記中空シートを前記地中埋設管の入口端から管端部にまで布設し、前記中空シートの一方の入口端部に空気圧調整機能付きのケーブル布設治具を取り付け、他方の出口端部に空気流出防止弁を有する栓を取り付け、前記中空シートの内部に、前記ケーブル布設治具で空気圧を調整しながらコンプレッサーから空気を送り、事前に前記中空シートの内部に通した通線体に結んだ前記新設ケーブルを、前記中空シートを膨らませた状態で、前記通線体の他方の端部を前記出口端部の空気流出防止弁を経て牽引することにより、前記空気圧調整機能付きケーブル布設治具に通して前記中空シート内に布設することを特徴とする。
【０００９】
さらに、請求項３の発明は、請求項１又は２に記載の方法に使用する中空シートを、通常は扁平形状を成し、空気圧で膨らむ柔軟で、摩擦抵抗の少ないシートで構成したことを特徴とするものである。
【００１０】
さらに請求項４の発明は、請求項２に記載の方法に使用する空気圧調整機能付きケーブル布設治具を、新設ケーブルを通すケーブル布設部と、中空シートに空気を注入する空気注入部と、中空シート内の空気圧を調整する空気圧調整栓とで構成し、前記ケーブル布設部及び空気注入部が、前記中空シートの内部に注入した空気が外部ヘ流出するのを防ぐ空気流出防止弁を備えるようにしたことを特徴とするものである。
【００１１】
【発明の実施の形態】
以下、図面を参照して本発明の実施の形態について説明する。
【００１２】
図１〜図３は、ハンドホール１と建物２との間に埋設され、内部に既設ケーブル３が布設されている地中埋設管４の内部に、本発明による方法により新たなケーブル５を布設するまでを示した概要図であり、図４〜図６は、それぞれ図１のＡ−Ａ’、図２のＢ−Ｂ’及び図３のＣ−Ｃ’線での断面図である。図１は新設ケーブル５の布設に先だって地中埋設管４の内部に布設する中空シート６の布設状況の概要図であり、図２は中空シート６を空気圧Ｐにより膨らました状況の概要図であり、図３は膨らませた中空シート６の内部に新設ケーブル５を布設している状況の概要図である。
【００１３】
先ず、図１に示すように、既設ケーブル３が布設されている地中埋設管４の内部に事前に通した通線体７に、柔軟で摩擦抵抗が少なく、通常は扁平形状を成し、空気圧で円筒状に膨らむ中空シート６を結び、地中埋設管４の引上げ管の管端部８から通線体７を牽引して、中空シート６を地中埋設管４のハンドホール１側の入口端から引上げ管の管端部８にまで布設する。この際、中空シート６はその内部に空気を含まない潰れた扁平の状態のままで布設される（図４参照）。
【００１４】
中空シート６の布設完了後、図２に示すように、ハンドホール１の内部において、中空シート６の入口端部分に空気圧調整機能付きのケーブル布設治具９を取り付け、この治具に空気注入ホース１０を取り付け、このホースを地上のコンプレッサー１１に取り付ける。また、引上げ管の管端部８側の中空シート６の出口端部には栓１２を取り付ける。
【００１５】
各部材の取り付け完了後、中空シート６の内部に、空気圧調整機能付きのケーブル布設治具８で空気圧を調整しながらコンプレッサー１１からの空気を送り、図５の断面図に示すように１気圧以上の空気圧Ｐにより中空シート６を膨らませ、この空気圧Ｐを保つことで中空シート６が膨らんだ状態を保ち、既設ケーブル３と隔離されたケーブル収容空間を確保する。
【００１６】
中空シート６は、図４に示すように、最初は柔軟性があり、内部に空気を含まない潰れた扁平の状態で地中埋設管４の内部に布設されるため、その布設時において既設ケーブル３に損傷を与えることがなく、また、図５に示すように、１気圧以上の空気圧Ｐにより中空シート６を膨らますことで、従来インナーパイプの布設において必要とされた地中埋設管４の内面及び既設ケーブル４の外周面との隙間が不要となるために、従来方式よりも大きなケーブル布設収容空間の確保が可能となる。
【００１７】
中空シート６を完全に膨らました後には、図３に示すように、コンプレッサー１１による中空シート６内への加圧と空気圧調整機能付きケーブル布設治具９による空気圧調整を続行して、中空シート６内の気圧を１気圧以上に維持して完全に膨らんだ状態を維持して、ケーブル繰出しドラム１３から新設用のケーブル５を繰り出し、このケーブルの先端を、事前に中空シート６の内部に通した通線体１４に結んで、この通線体１４を引上げ管の管端部８側から栓１２を経て牽引することにより、新設ケーブル５を中空シート６内に布設することがでる。
【００１８】
中空シート６の入口端部に取り付ける空気圧調整機能付きのケーブル布設治具９は、図７に示すように、空気注入部１５とケーブル布設部１６と空気圧調整栓１７とからなり、空気注入部１５には空気注入ホース１０が取り付けられ、コンプレッサー１１からの空気が注入される。ケーブル布設治具９の空気注入部１５及びケーブル布設部１６には空気流出防止弁１８が取り付けられており、中空シート６の内部の空気が空気注入部１５及びケーブル布設部１６から逆流して、中空シート６の外部ヘ吹き出すことを防ぐ。また、中空シート６の出口端に取り付ける栓１２にも図８に示すように空気流出防止弁１９が取り付けられており、この弁１９は、新設ケーブル５に結んだ通線体１４をこの弁１９に通して牽引することにより新設ケーブル５を中空シート６の内部に布設する際に、一定量以上の空気が中空シート６の外部ヘ吹き出すことを防ぐ。これらの弁１８及び１９により、中空シート６の内圧は１気圧以上に安定的に維持される。
【００１９】
この結果、図６に示すように、新設ケーブル５は膨らんだ中空シート６の内部に布設されるため、既設ケーブル３と新設ケーブル５がこすれることがなく、また、新設ケーブル５の地中埋設管４内部での接触箇所の数を中空シート６の内面の１点のみとすることができるので、例えば、スパン長が数１０ｍから略１００ｍにも及ぶハンドホール間に新設ケーブルを低い布設張力で布設することができる。
【００２０】
さらに、従来よりも大きなケーブル収容空間を確保できるので、従来よりも太径の新設ケーブルの布設が可能となる。
【００２１】
新設ケーブル５の布設後には、コンプレッサー１１からの中空シート６内への加圧を停止し、中空シート６内の空気圧１３を解除した後、ケーブル布設治具９及び管端部の栓１２を取り外し、ケーブル布設が完了する。
【００２２】
【発明の効果】
以上説明したように、本発明による中空シートによるケーブル布設方法によれば、既設ケーブルと隔離されたケーブル収容空間の確保が可能になり、既設ケーブルとのこすれ合いによるケーブルの損傷を防ぐことができ、また、新設ケーブルの地中埋設管内での接触箇所を中空シートの内面との１点のみとすることで、布設張力の低減を図ることができる。
【００２３】
さらに、インナーパイプを用いた場合に比べて大きなケーブル収容空間の確保が可能となるので、より太いケーブルの敷設が可能となる。
【図面の簡単な説明】
【図１】地中埋設管の内部に中空シートを布設する状況の概要図である。
【図２】コンプレッサーを用いて中空シートを膨らませる状況の概要図である。
【図３】膨らませた中空シートの内部にケーブルを布設する状況の概要図である。
【図４】図１のＡ−Ａ’線での断面図である。
【図５】図２のＢ−Ｂ’線での断面図である。
【図６】図３のＣ−Ｃ’線での断面図である。
【図７】ケーブル布設治具の概要図である。
【図８】管端部栓の概要図である。
【図９】ケーブルが布設されている地中埋設管に追加してケーブルを布設する状況の概要図である。
【図１０】ケーブルが布設されている地中埋設管にインナーパイプを用いてケーブルを布設する状況の概要図である。
【符号の説明】
１  ハンドホール
２  建物
３  既設ケーブル
４  地中埋設管
５  新設ケーブル
６  中空シート
７  通線体
８  引上げ管の管端部
９  ケーブル布設治具
１０  空気注入ホース
１１  コンプレッサー
１２  栓
１３  ケーブル繰出しドラム
１４  通線体
１５  空気注入部
１６  ケーブル布設部
１７  空気圧調整栓
１８，１９  空気流出防止弁
【図１】
2004173439.tif 000003
【図２】
2004173439.tif 000004
【図３】
2004173439.tif 000005
【図４】
2004173439.tif 000006
【図５】
2004173439.tif 000007
【図６】
2004173439.tif 000008
【図７】
2004173439.tif 000009
【図８】
2004173439.tif 000010
【図９】
2004173439.tif 000011
【図１０】
2004173439.tif 000012